(57)【要約】      （修正有）【課題】  水の蒸発潜熱（気化熱）を利用する冷却用構造物であって、水を供給することにより、長時間にわたって且つ繰り返し使用することのできる冷却用構造物を提供する。【解決手段】  袋状の被覆部１００と保水体７００とを具備する冷却用構造物であって、保水体は、被覆部から出し入れ可能であり、且つ、袋体Ｐとその袋体の中に載置された吸水性材料１１とを具備し、被覆部の一方の面ａは、外側の繊維層と内側の通気性シート層３とが部分的に接着されてなるもので構成されており、且つ、リッシー法によって測定した透湿度が５００乃至３，０００ｇ／ｍ２・２４時間であり、保水体の袋体の一方の面Iは、透湿・透水性の材料で構成されており、そして、被覆部の他方の面ｂと保水体の他方の面IIの中の少なくとも一方は水不透過性であることを特徴とする冷却用構造物を用いる。【選択図】  図９
2007289594.tif 000002
【特許請求の範囲】
【請求項１】
袋状の被覆部と保水体とを具備する冷却用構造物であって、保水体は、被覆部から出し入れ可能であり、且つ、袋体とその袋体の中に載置された吸水性材料とを具備し、被覆部の一方の面ａは、外側の繊維層と内側の通気性シート層とが部分的に接着されてなるもので構成されており、且つ、リッシー法によって測定した透湿度が５００乃至３，０００ｇ／ｍ２・２４時間であり、保水体の袋体の一方の面Iは、透湿・透水性の材料で構成されており、そして、被覆部の他方の面ｂと保水体の他方の面IIの中の少なくとも一方は水不透過性であることを特徴とする冷却用構造物。
【請求項２】
被覆部の一方の面ａを構成する通気性シート層が、非通気性ポリマー・フィルムに通気孔を設けたものである、請求項１に記載の冷却用構造物。
【請求項３】
保水体の袋体の一方の面Iが、繊維材料で構成されている、請求項１又は２に記載の冷却用構造物。
【請求項４】
繊維材料が不織布である、請求項３に記載の冷却用構造物。
【請求項５】
吸水性材料が、吸水性ポリマーを具備する吸水性シートであるか、又は、吸水性ポリマーを具備する吸水性シート及び吸水性ポリマーを具備しない吸水性シートである、請求項１乃至４のいずれか１項に記載の冷却用構造物。
【請求項６】
被覆部の他方の面ｂが、外側の繊維層と内側の非通気性シート層とが部分的又は全面に亘って接着されてなるもので構成されて水不透過性となっている、請求項１乃至５のいずれか１項に記載の冷却用構造物。
【請求項７】
保水体の袋体の他方の面IIが、不織布と非通気性シート層とが部分的又は全面に亘って接着されているもので構成されて水不透過性となっており、ここで、非通気性シート層は不織布の外側、内側の何れに存在していてもよい、請求項１乃至６のいずれか１項に記載の冷却用構造物。
【請求項８】
袋状の被覆部と保水体とを具備する冷却用構造物であって、保水体は、被覆部から出し入れ可能であり、且つ、袋体であってその袋体の少なくとも一方の面の内側及び／又は内部に吸水性ポリマーを具備してなるものを具備しており、被覆部の一方の面ａは、外側の繊維層と内側の通気性シート層とが部分的に接着されてなるもので構成されており、且つ、リッシー法によって測定した透湿度が５００乃至３，０００ｇ／ｍ２・２４時間であり、保水体の袋体の一方の面Iは、透湿・透水性の材料で構成されており、被覆部の他方の面ｂと保水体の他方の面IIの中の少なくとも一方は水不透過性であることを特徴とする冷却用構造物。
【請求項９】
被覆部の一方の面ａを構成する通気性シート層が、非通気性ポリマー・フィルムに通気孔を設けたものである、請求項８に記載の冷却用構造物。
【請求項１０】
保水体の袋体の一方の面Iが、繊維材料で構成されている、請求項８又は９に記載の冷却用構造物。
【請求項１１】
繊維材料が不織布である、請求項１０に記載の冷却用構造物。
【請求項１２】
保水体が、更に、袋体内に載置された吸水性材料を具備する、請求項８乃至１１のいずれか一項に記載の冷却用構造物。
【請求項１３】
吸水性材料が、吸水性ポリマーを具備する吸水性シートであるか、又は、吸水性ポリマーを具備する吸水性シート及び吸水性ポリマーを具備しない吸水性シートである、請求項１２に記載の冷却用構造物。
【請求項１４】
被覆部の他方の面ｂが、外側の繊維層と内側の非通気性シート層とが部分的又は全面に亘って接着されてなるもので構成されて水不透過性となっている、請求項８乃至１３のいずれか１項に記載の冷却用構造物。
【請求項１５】
保水体の袋体の他方の面IIが、繊維材料と非通気性シート層とが部分的又は全面に亘って接着されているもので構成されて水不透過性となっており、ここで、非通気性シート層は繊維材料の外側に存在する、請求項８乃至１４のいずれか１項に記載の冷却用構造物。
【発明の詳細な説明】
【技術分野】
【０００１】
本発明は、水を保持できる保水体を具備する構造物であって、その保水体に水を保持させた上で、人体や動物を冷却するために用いる冷却用構造物に関する。
【背景技術】
【０００２】
紙おむつ等の用途を有する吸収性物品は、概略、不織布等の繊維質基材に吸水性樹脂又は高吸水性ポリマーを保持させてなる吸水体と、通常は更に紙とが、液体透過性シートと液体不透過性シートとの間に挟まれてなるものである。
【０００３】
例えば特許文献１には、繊維質基材に吸水性樹脂粒子を固着してなる吸水性シートと、前記吸水性シートの少なくとも片面に貼着した繊維質基材シートとからなる吸水性複合シートが、不織布とポリエチレンシートで挟まれてなる失禁ライナーが開示されている。この発明は、吸水体が、液体（具体的には尿）を、高い吸収速度で且つ大きな吸収量で吸収するという効果を示す。
【０００４】
また、特許文献２には、液透過性の表面シート、液不透過性の裏面シート及び両シート間に介在された液保持性の吸収体を備えた吸収性物品において、前記吸収体は、高吸水性ポリマーが不織布の繊維間に保持された第１吸収層と、親水性繊維の集合体からなる第２吸収層とを有しており、第１吸収層が前記表面シート側に位置し、第２吸収層が前記裏面シート側に位置している吸収性物品が開示されている。この発明の吸収性物品は、尿の逆戻りが生じにくいという効果を示す。
【０００５】
ところで、吸水性樹脂又は高吸水性ポリマーは、吸水した、即ちゲル状態で、保冷材の用途で使用されてもいる。
【０００６】
特許文献３には、水あるいは水を主体とした混合溶媒を吸収した吸水性樹脂のゲル状物等の保冷用媒体を含有する保冷剤が透水・水不溶性基材からなる容器内に封入されてなる保冷材であって、当該保冷材の外面の少なくとも一部に、フラジール法通気度が２００ｃｍ３／ｃｍ２／秒以上である立体構造を有する繊維及び／又はプラスチック構造体製の包装材を設けたことを特徴とする保冷材が開示されている。特許文献３には、この保冷材では水分の蒸発潜熱による冷却効果もある旨が記載されている。
【０００７】
また、特許文献４には、吸水性樹脂繊維や保水性繊維を含む吸水性不織布の片面に、含水ゲルを展膏してなる冷却シートが開示されている。このシートも、水の気化熱によって冷却効果を得るものである。なお、特許文献４には、冷却シートの製造時に、吸水性不織布面に水を吹き付けて加水する旨が記載されている。
【０００８】
このような従来の保冷材や冷却用シートでは、それらに保持されている水の蒸発潜熱（気化熱）を利用して冷却効果を得ているため、水が気化しなくなってしまった後においては、冷却効果は得られ難い。
【０００９】
更に、非特許文献１には、高吸水性ポリマーを利用した保冷材であって、水に漬けて吸水させ且つ冷凍した後に使用されるものが開示されている。
【００１０】
気化熱を利用した冷却を取り入れた発明として、以下のものも知られている。
【００１１】
特許文献５には、表面側が通気性素材からなるシート、裏面側が合成樹脂製シートで構成された包装材内に吸水性ポリマーが充填されてなる袋体と、その袋体を収納する通気性素材からなる外包材とからなるペット用クーラーマットが記載されている。このクーラーマットは、吸水性ポリマーが充填されてなる袋体を水に浸漬して使用する。このクーラーマットにおいては、吸水性ポリマーに保持された水が気化し、水蒸気として、吸水性ポリマーが充填されてなる袋体の表面側の通気性素材からなるシート及びその袋体を収納している外包材を通じて外部に出て行く。よって、気化熱による冷却効果が得られる。
【００１２】
この発明では、冷却効率の制御については考慮されていない。また、外包材が不織布等の通気性素材で構成されているため、吸水性ポリマーから蒸発してきた水蒸気によって外包材が湿る。このように、冷却効率が制御されていないために生じる冷えすぎや湿気の問題は、このクーラーマットを人に使用させるためには解決されなければならない。
【００１３】
また、特許文献６には、吸水性ポリマーが封入された通水性袋と、前記通水性袋を収納する収納袋とからなるペット用クーラーマットであって、前記通水性袋は、前記吸水性ポリマーを封止する複数の封入領域を有し、前記封入領域は、全周が熱シールにより囲繞されていることを特徴とするペット用クーラーマットが記載されている。このクーラーマットも、吸水性ポリマーが封入された通水性袋を水に浸漬して使用する。特許文献６に記載されたクーラーマットにおいて、収納袋は、（１）その一方の面を通気性を有する素材、他方の面を撥水性を有する素材で作ることができ、あるいは、（２）内側の撥水性を有する素材と外側の織布との二層構成とすることができる。
【００１４】
（１）の場合、吸水性ポリマーが封入された通水性袋から気化した水蒸気は、収納用袋を通じて外部に出て行くことができ、よって、気化熱による冷却効果が得られる。しかし、この発明では、冷却効率の制御については考慮されていない。また、収納袋の通気性素材部分が、通水性袋から蒸発してきた水蒸気によって湿る。このように、冷却効率が制御されていないために生じる冷えすぎや湿気の問題は、このクーラーマットを人に使用させるためには解決されなければならない。
【００１５】
（２）の場合、収納袋の外側が通水性袋から蒸発してきた水蒸気によって湿ることはないが、通水性袋から気化した水蒸気は収納袋から外部に向かって出て行くことはないため、収納袋内で飽和状態となってしまう。よって、気化熱による冷却効果は、非常に制限されたものに過ぎない。
【００１６】
【特許文献１】特開２００４−３５８７９７
【特許文献２】特開２００１−２８６５０５
【特許文献３】特開２００５−１１８０５９
【特許文献４】実開２００１−１０４３５９
【特許文献５】特開平１１−２８０３４
【特許文献６】特開２００１−１２００９５
【非特許文献１】三重化学工業株式会社のホームページ、スノーパック超冷却シリーズの説明（http://miekagaku.co.jp/sp04.html）
【発明の開示】
【発明が解決しようとする課題】
【００１７】
本発明の目的は、水の蒸発潜熱（気化熱）を利用する、冷却効率が制御された冷却用構造物であって、水を供給することにより、長時間にわたって且つ繰り返し使用することのできる冷却用構造物を提供することにある。
【００１８】
また、本発明の目的は、被覆部外表面が保水体に由来する水分によって湿ることのない冷却用構造物を提供することにある。
【課題を解決するための手段】
【００１９】
本発明者は、上記課題を解決するために鋭意検討し、本発明を完成させた。
【００２０】
即ち第一の発明は、袋状の被覆部と保水体とを具備する冷却用構造物であって、保水体は、被覆部から出し入れ可能であり、且つ、袋体とその袋体の中に載置された吸水性材料とを具備し、被覆部の一方の面ａは、外側の繊維層と内側の通気性シート層とが部分的に接着されてなるもので構成されており、且つ、リッシー法によって測定した透湿度が５００乃至３，０００ｇ／ｍ２・２４時間であり、保水体の袋体の一方の面Iは、透湿・透水性の材料で構成されており、そして、被覆部の他方の面ｂと保水体の他方の面IIの中の少なくとも一方は水不透過性であることを特徴とする冷却用構造物に関する。
【００２１】
上記第一の発明の冷却用構造物の一態様においては、被覆部の一方の面ａを構成する通気性シート層は、非通気性ポリマー・フィルムに通気孔を設けたもの、より具体的には透湿性多孔質フィルム製である。
【００２２】
上記第一の発明の冷却用構造物の他の態様においては、保水体を構成する袋体の一方の面Iが、繊維材料、好ましくは不織布で構成されている。
【００２３】
上記第一の発明の冷却用構造物の更に他の態様においては、吸水性材料が、吸水性ポリマーを具備する吸水性シートであるか、又は、吸水性ポリマーを具備する吸水性シート及び吸水性ポリマーを具備しない吸水性シートである。
【００２４】
上記第一の発明の冷却用構造物の更に他の態様においては、被覆部の他方の面ｂは、外側の繊維層と内側の非通気性シート層とが部分的又は全面に亘って接着されてなるもので構成されて水不透過性となっている。
【００２５】
上記第一の発明の冷却用構造物の更に他の態様においては、保水体の袋体の他方の面IIが、不織布と非通気性シート層とが部分的又は全面に亘って、好ましくは全面に亘って接着されているもので構成されて水不透過性となっている。ここで、非通気性シート層は不織布の外側、内側の何れに存在していてもよいが、外側に存在することが好ましい。
【００２６】
上記第一の発明は、袋状の被覆部と保水体とを具備する冷却用構造物であって、保水体は被覆部から出し入れ可能であり、被覆部の一方の面ａは、外側の繊維層と内側の通気性シート層とが部分的に接着されてなり且つリッシー法によって測定した透湿度が５００乃至３，０００ｇ／ｍ２・２４時間であるもので構成され、且つ、被覆部の他方の面ｂは、外側の繊維層と内側の非通気性シート層とが部分的又は全面に亘って接着されてなるもので構成されており、保水体は、不織布製の袋体とその袋体内に載置された吸水性ポリマーを具備する吸水性シートとを具備するものであることを特徴とする冷却用構造物を包含する。
【００２７】
このような第一の発明の中、吸水性材料が吸水性ポリマーを具備する吸水性シート及び吸水性ポリマーを具備しない吸水性シートである態様の具体例として、保水体の袋体内において、吸水性ポリマーを具備する吸水性シートは、吸水性シート中、最外層の一方に配置され、保水体の袋体の、吸水性ポリマーを具備してなる吸水性シートと接する面が、被覆部の面ａに向けて配置されているものが挙げられる。
【００２８】
また、このような第一の発明の中、吸水性材料が吸水性ポリマーを具備する吸水性シート及び吸水性ポリマーを具備しない吸水性シートである態様の具体例として、保水体の袋体内において、吸水性ポリマーを具備してなる吸水性シートは、吸水性シート中、一方の最外層の次に配置され、保水体の袋体の、吸水性ポリマーを具備してなる吸水性シートに隣接する最外層の吸水性シートと接する面が、被覆部の面ａに向けて配置されているものが挙げられる。
【００２９】
また、第二の発明は、袋状の被覆部と保水体とを具備する冷却用構造物であって、保水体は、被覆部から出し入れ可能であり、且つ、袋体であってその袋体の少なくとも一方の面の内側及び／又は内部に吸水性ポリマーを具備してなるものを具備しており、被覆部の一方の面ａは、外側の繊維層と内側の通気性シート層とが部分的に接着されてなるもので構成されており、且つ、リッシー法によって測定した透湿度が５００乃至３，０００ｇ／ｍ２・２４時間であり、保水体の袋体の一方の面Iは、透湿・透水性の材料で構成されており、被覆部の他方の面ｂと保水体の他方の面IIの中の少なくとも一方は水不透過性であることを特徴とする冷却用構造物に関する。
【００３０】
上記第二の発明の冷却用構造物の一態様においては、被覆部の一方の面ａを構成する通気性シート層は、非通気性ポリマー・フィルムに通気孔を設けたもの、より具体的には透湿性多孔質フィルム製である。
【００３１】
上記第二の発明の冷却用構造物の他の態様においては、保水体を構成する袋体の一方の面Iが、繊維材料、好ましくは不織布で構成されている。
【００３２】
上記第二の発明の冷却用構造物の更に他の一態様においては、保水体が、更に、袋体内に載置された吸水性材料を具備する。その吸水性材料は、吸水性ポリマーを具備する吸水性シートであるか、又は、吸水性ポリマーを具備する吸水性シート及び吸水性ポリマーを具備しない吸水性シートであることが好ましい。
【００３３】
上記第二の発明の冷却用構造物の更に他の一態様においては、被覆部の他方の面ｂが、外側の繊維層と内側の非通気性シート層とが部分的又は全面に亘って接着されてなるもので構成されて水不透過性となっている。
【００３４】
上記第二の発明の冷却用構造物の更に他の一態様においては、保水体の袋体の他方の面IIが、繊維材料、好ましくは不織布と、非通気性シート層とが、部分的又は全面に亘って、好ましくは全面に亘って接着されているもので構成されて水不透過性となっている。ここで、非通気性シート層は、繊維材料の外側に存在する。
【００３５】
上記第二の発明は、袋状の被覆部と保水体とを具備する冷却用構造物であって、保水体は被覆部から出し入れ可能であり、被覆部の一方の面ａは、外側の繊維層と内側の通気性シート層とが部分的に接着されてなり且つリッシー法によって測定した透湿度が５００乃至３，０００ｇ／ｍ２・２４時間であるもので構成され、且つ、被覆部の他方の面ｂは、外側の繊維層と内側の非通気性シート層とが部分的又は全面に亘って接着されてなるもので構成されており、保水体は、不織布製の袋体であってその袋体の少なくとも一方の面の内側に吸水性ポリマーを具備してなるものを具備していることを特徴とする冷却用構造物を包含する。
【発明の効果】
【００３６】
本発明により、長時間にわたって且つ繰り返し使用することのできる冷却用構造物が提供される。
【００３７】
本発明の冷却用構造物は、使用前においては水を保持していないために重量が小さく、また、折りたたむことも可能であるため、持ち運びしやすい。
【００３８】
本発明の冷却用構造物を使用することにより、夏季においても安眠することができる。
【００３９】
本発明の冷却用構造物では、被覆部の透湿度を制御することにより、冷却効率を制御することができる。また、被覆部の透湿度を大きくする、含水量を多くする、あるいは冷水を使用する等の手段を採用することにより、より大きな冷却効果を得ることも可能である。さらに、保水体の一部であって人体等の冷却したい個所に対応する部分にのみ、保水させることも可能である。従って、医療の分野において、低温療法のために使用することもできる。
【００４０】
第一の発明の冷却用構造物、及び、第二の発明の冷却用構造物の中、保水体内に吸水性材料を具備する態様では、敷パッド等に要求されるクッション性も実現される。
【発明を実施するための最良の形態】
【００４１】
以下に、本発明を、その実施のための最良の形態に基づいて説明する。
【００４２】
本発明の冷却構造物は、例えば、敷パッド、ペット用の敷物等として使用することができるものである。
【００４３】
次に、本発明の冷却用構造物を、図面を参照しながら説明する。
【００４４】
図１は、本発明の冷却用構造物の一例における、被覆部１００のひろげた状態を示す模式図である。また、図２は、その被覆部１００を閉じた状態（袋状）を示す模式図である。また、図３は、被覆部の一方の面ａと他方の面ｂとを示す断面図である。図９にも、被覆部１００の断面が示されている。
【００４５】
被覆部１００は、その周囲にファスナーＦが縫い付けられている。そのファスナーＦを閉じることにより、図２に示すような袋状となる。いわば、敷布団用の包布と類似する形態である。なお、被覆部の形状は、袋状で保水体を出し入れ可能である限り、どのような形状であってもよい。
【００４６】
被覆部１００の一方の面ａは、図３（１）に示すように、外側の繊維層１と内側の通気性シート層３とが部分的に接着されてなるもので構成されている。
【００４７】
被覆部１００の一方の面ａは、リッシー法によって測定した透湿度（ＪＩＳ  Ｚ０２０８；ＪＩＳ  Ｋ７１２９；ＡＳＴＭ  Ｅ３９８）が、５００乃至３，０００ｇ／ｍ２・２４時間、好ましくは７００乃至２，０００ｇ／ｍ２・２４時間、更に好ましくは１，０００乃至１，５００ｇ／ｍ２・２４時間のものである。透湿度の大小は、水蒸気の通過量、ひいては水の気化量に影響を与える。透湿度が大きいと、水の気化量が多くなるため、より大きな冷却効果が得られる。
【００４８】
本発明の冷却構造物を夏季の安眠のために使用する場合には、人の体表面温度が１乃至２℃程度下がるのが好ましい。一方、本発明の冷却構造物を医療の分野において低温療法のために使用するような場合には、人の体表面温度が４℃程度下がってもよい。このように本発明の冷却用構造物を低温療法のために使用する場合には、被覆部の一方の面ａ（通気性面）は、リッシー法によって測定した透湿度が、好ましくは１，０００乃至２，０００ｇ／ｍ２・２４時間、更に好ましくは１，４００乃至１，８００ｇ／ｍ２・２４時間である。
【００４９】
ここで、リッシー法による透湿度の測定は、４０℃、湿度差９０％にて行われる。より詳細には、リッシー法では、相対湿度１００％の雰囲気ｘと相対湿度約９％の雰囲気ｙとの間に試料を載置し、雰囲気ｙの相対湿度が約１１％となるまでに要する時間を測定する。これを、被測定試料と透湿度が明らかな標準試料の各々について行い、標準試料の測定結果と比較することにより、被測定試料の透湿度を算出する。
【００５０】
被覆部の一方の面ａの一部（例えば四周部）に、リッシー法によって測定した透湿度が上記範囲外の部分があってもよい。換言すると、被覆部の一方の面ａの実質的にすべての部分（換言すると、冷却に使用される部分）が、上記数値範囲内の透湿度を示せばよい。
【００５１】
被覆部１００の他方の面ｂは、図３（２）に示すように、外側の繊維層７と内側の非通気性シート層５とが接着されてなるものであってよいし、図３（３）に示すように、非通気性シート層５のみであってもよい。非通気性シート層５を用いるのは、非通気性シート層５の撥水又は防水性により、保水体に保持させた水が被覆部１００から外部に染み出ないようにするためである。
【００５２】
繊維層７と非通気性シート層５との接着は、部分的であっても全面に亘っているものであってもよいが、全面の方が好ましい。また、この接着は、非通気性シート層５を構成するポリマー又は繊維層７を構成するポリマーを溶融させて融着させたり、接着剤を使用して行えばよい。
【００５３】
なお、以下において説明する保水体の他方の面IIが水不透過性である場合には、被覆部１００の他方の面ｂは、図３（４）に示すように、繊維材料等の水透過性材料（繊維層７）で構成されていてもよい。
【００５４】
本発明の冷却用構造物を使用する際には、面ａを上（表）、面ｂを下（裏）とする。例えば、本発明の冷却用構造物が敷パッドである場合には、面ａを人体に向け、面ｂを布団に向けて使用する。
【００５５】
第一の発明の冷却用構造物において、保水体は、袋体と、その袋体内に載置された吸水性材料とを具備している。この袋体の一方の面Iは、透湿・透水性の材料で構成されている。他方の面IIは、透湿・透水性の材料で構成される場合と、水不透過性材料で構成される場合とがある。
【００５６】
図４は、第一の発明の冷却用構造物用保水体の一例２００を示す断面図である。この保水体２００は、不織布製袋体９と、吸水性ポリマーを具備する吸水性シート１５とを備える。袋体９は、その一方の面I（９ａ）と他方の面II（９ｂ）の両者が、透湿・透水性材料である不織布で構成されている。吸水性ポリマーを具備する吸水性シート１５は、吸水性シート１３の一方の表面上に、吸水性ポリマー１１が付着されてなる吸水性材料である。
【００５７】
保水体２００は、不織布製袋体９の一方の面I（９ａ）、即ち、吸水性ポリマー１１と向き合っている又は吸水性ポリマー１１と接する面が、被覆部の面ａ（通気性面）と向き合い、他方の面II（９ｂ）が、被覆部の面ｂと向き合うように、被覆部内に挿入される。
【００５８】
なお、図１０に示す例のように、吸水性ポリマーを具備する吸水性シート１５が吸水性シート１３に吸水性ポリマー１１が練り込まれている（換言すると、吸水性シート１３中に吸水性ポリマー１１が混在・付着している）ものである場合には、吸水性ポリマーを具備する吸水性シート１５に裏表はないので、被覆部内に挿入される際に、不織布製袋体９の両面I（９ａ），II（９ｂ）のいずれが、被覆部の面ａと向き合ってもよい。
【００５９】
図５は、第一の発明の冷却用構造物用保水体の他の一例３００を示す断面図である。この保水体３００は、不織布製袋体９と、その袋体９内に載置された、吸水性ポリマー１１と吸水性シート１３とからなる吸水性ポリマーを具備する吸水性シート１５と、吸水性ポリマーを具備しない吸水性シート１７とを備える。袋体９は、その一方の面I（９ａ）と他方の面II（９ｂ）の両者が、透湿・透水性材料である不織布で構成されている。吸水性材料である吸水性シートの層の中、吸水性シート１５は、最外層の一方に存在する。
【００６０】
保水体３００は、不織布製袋体９の一方の面I（９ａ；吸水性ポリマーを具備してなる吸水性シート１５と接する面）が、被覆部の面ａと向き合うように、被覆部内に装填される。
【００６１】
図６は、第一の発明の冷却用構造物用保水体の更に他の例４００を示す断面図である。
【００６２】
この保水体４００では、袋体Ｐは、不織布製袋体９と非通気性シート層１９とで構成されている。より具体的には、不織布製袋体９の面９ｂの内側に、非通気性シート層１９が接着されている。換言すると、袋体Ｐの一方の面Iは、透湿・透水性材料である不織布９ａで構成されており、他方の面IIは、非通気性シート層１９と不織布９ｂとで構成されて水不透過性となっている。なお、不織布９ｂの内側への非通気性シート層１９の接着は、部分的であっても全面に亘っているものであってもよい。また、この接着は、非通気性シート層１９を構成するポリマー又は不織布９ｂを構成するポリマーを溶融させて融着させたり、接着剤を使用して行えばよい。なお、保水体４００においては、非通気性シート層１９は、不織布製袋体９の外周部、即ち、面９ａと面９ｂとが接着される部分にも存在するが、非通気性シート層１９は、面９ａと面９ｂとの接着部分には存在しなくてもよい。
【００６３】
非通気性シート層１９を設けることにより、吸水性材料、具体的には吸水性シート２１，２３，２５及び吸水性ポリマーを具備する吸水性シート１５に保持させた水が、保水体４００内に保持され易くなり、また、面IIを通って外部に出て行かない。
【００６４】
袋体Ｐの内部には、吸水性シート２１，２３，２５及び吸水性ポリマーを具備する吸水性シート１５が存在する。この例では、吸水性ポリマーを具備する吸水性シート１５は、上から２番目（吸水性シートの層の中、一方の最外層の次）に配置されている。このような配置とすると、吸水性シート１５の吸水性ポリマー１１に水を保持させる際、吸水性シート２１が一旦保持した水を吸水性ポリマー１１に供給することになるため、吸水性ポリマー１１への水の供給がスムーズとなる。
【００６５】
この保水体４００は、袋体Ｐの一方の面Iが、被覆部の面ａと向き合うように、被覆部内に装填される。
【００６６】
図４乃至図６に示された例では、吸水性シートは固定されていないが、例えば、不織布製袋体９の外周部において、面９ａと面９ｂとの間に吸水性シートの外周部を存在させ、各層を接着してもよい。
【００６７】
図９に示す第一の発明の冷却用構造物用の保水体７００では、不織布９ｘのすべてと、不織布９ｙの一部（図９中、不織布９ｙを横断する破線よりも上の部分、９ｙ１及び９ｙ３）及び非通気性シート層１９の一部（図９中、非通気性シート層１９を横断する破線よりも上の部分、１９ｙ１及び１９ｙ３）とが袋体Ｐの一方の面Iを構成し、不織布９ｙの残部（図９中、前記破線よりも下の部分、９ｙ２）及び非通気性シート層１９の残部（図９中、前記破線よりも下の部分、１９ｙ２）が、袋体Ｐの他方の面IIを構成している。この例では、非通気性シート層１９は、不織布９ｙの外側に接着されて面Iの一部にまで存在している。このように、非通気性シート層１９は、袋体Ｐの面Iを通っての水蒸気の放出を大きく妨げない限り、面Iの一部にまで延伸されていてもよい。
【００６８】
第二の発明の冷却用構造物において、保水体は、袋体と、その袋体の少なくとも一方の面の内側に接着、融着等されているか又はその少なくとも一方の面の内部に存在する吸水性ポリマーとを具備する。
【００６９】
図７は、第二の発明の冷却用構造物用保水体の一例５００を示す断面図である。
【００７０】
保水体５００は、不織布製の袋体３１と、その袋体３１の両面I（３１ａ），II（３１ｂ）の内側に位置する吸水性ポリマー１１とを具備する。
【００７１】
吸水性ポリマー１１は、袋体３１の面I，IIのいずれかの内側にのみ存在していてもよい。吸水性ポリマー１１は、袋体３１の面Iを構成する不織布３１ａ及び／又は面IIを構成する不織布３１ｂに練り込まれていてもよいし、あるいは、二枚の不織布とそれらの間に挟持された吸水性ポリマーによって、袋体３１の面I及び／又は面IIが構成されていてもよい。
【００７２】
図８は、第二の発明の冷却用構造物用保水体の他の一例６００を示す断面図である。
【００７３】
保水体６００は、袋体Ｑであって、その一方の面Iが不織布３３ａで構成されており、他方の面IIは不織布３３ｂと非通気性シート層１９とで構成されて水不透過性となっており、不織布３３ｂの内側には吸水性ポリマー１１が接着又は融着されてなるものと、その袋体Ｑ内に載置された吸水性シート１７とを具備する。
【００７４】
不織布３３ｂと非通気性シート層１９との接着は、部分的であっても全面に亘っているものであってもよいが、全面に亘っていることが好ましい。また、この接着は、非通気性シート層１９を構成するポリマー又は不織布３３ｂを構成するポリマーを溶融させて融着させたり、接着剤を使用して行えばよい。
【００７５】
袋体Ｑ内に載置された吸水性シート１７は、吸水性ポリマーを具備しないものであるが、吸水性ポリマーを具備する吸水性シートを用いてもよい。あるいは、吸水性ポリマーを具備する吸水性シートと具備しない吸水性シートの両者を用いてもよい。
【００７６】
続いて、本発明の冷却用構造物を構成する各要素について、それらの例を示しながら、具体的に説明する。
【００７７】
被覆部を構成する繊維層は、例えば、織布、不織布及び編物からなる群から選択される一種以上、好ましくは織布（布）又は不織布で構成されている。
【００７８】
繊維層が織布製である場合、その素材は、例えば、綿、レーヨン、ポリエステル、ポリプロピレン、ナイロン、アクリル等であり、その厚さは、通常は６０ｇ／ｍ２乃至１５０ｇ／ｍ２、好ましくは８０ｇ／ｍ２乃至１３０ｇ／ｍ２、さらに好ましくは９０ｇ／ｍ２乃至１１０ｇ／ｍ２である。
【００７９】
被覆部の一方の面ａ（通気性面）の繊維層には、一般的な織布のみならず、例えば、超極細繊維を高密度に織上げた超高密度織物（透湿度は２，０００乃至３，０００ｇ／ｍ２・２４時間程度）を使用してもよい。
【００８０】
繊維層が不織布製である場合、その素材は、例えば、レーヨン、ナイロン、ポリエステル、アクリル、ポリプロピレン、ビニロン、ポリエチレン、ウレタン、木綿、セルロース等であり、その厚さは、通常は２０ｇ／ｍ２乃至１２０ｇ／ｍ２、好ましくは３０ｇ／ｍ２乃至１００ｇ／ｍ２、さらに好ましくは４０ｇ／ｍ２乃至６０ｇ／ｍ２である。また、繊維層が編物製である場合、その素材は、例えば、レーヨン、ポリエステル、ポリプロピレン、ナイロン、アクリル等であり、その厚さは、通常は８０ｇ／ｍ２乃至１５０ｇ／ｍ２、好ましくは９０ｇ／ｍ２乃至１２０ｇ／ｍ２である。
【００８１】
繊維層に使用する不織布には、メルトブロー不織布、スパンボンド不織布、スパンレース不織布、スパンニードル不織布等があるが、本発明ではいずれも使用することができる。
【００８２】
被覆部の一方の面ａ（通気性面）は、外側の繊維層と内側の通気性シート層とが部分的に接着されてなるもので構成されている。
【００８３】
通気性シートとは、空気を（従って水蒸気も）通すポリマー製のフィルム又はシートをいい、その代表例として、非通気性ポリマー・フィルムに通気孔を設けたもの（例えば透湿性多孔質フィルム）が挙げられる。ポリマー・フィルム自体は撥水又は耐水性である。本発明で用いられる透湿性多孔質フィルムの厚さは、通常は１００μｍ以下、好ましくは３０乃至８０μｍ、更に好ましくは５０乃至７０μｍである。
【００８４】
また、非多孔質膜であって、水蒸気を通し且つ耐水性であるもの（例えば、オージーフィルム株式会社製ポリエステル系透湿防水フィルム「フレクロン」）も知られている。このようなフィルムも、通気性シートとして使用することができる。
【００８５】
通気性シートの原料であるポリマーの例としては、ポリエチレン、ポリプロピレン、ポリエステル、ポリアミド、ポリ塩化ビニル、ポリ塩化ビニリデン、ポリウレタン、ポリスチレン、エチレン−酢酸ビニル共重合体、ポリカーボネート等が挙げられる。
【００８６】
通気性シートは、単層フィルムに限定されず、複層フィルムであってもよい。
【００８７】
所望の透湿度を有する多孔質フィルムの調製方法は、公知である。なお、被覆部の一方の面ａの透湿度は、通気性シート層を構成する、例えば多孔質ポリマー・フィルムの透湿度と、繊維層と通気性シート層との接着条件の選択等により、適宜調整し、５００乃至３，０００ｇ／ｍ２・２４時間とする。
【００８８】
被覆部の他方の面ｂは、水透過性である場合と、水不透過性である場合とがある。水透過性である場合、その材料は、例えば織布、不織布、編物等である。水不透過性である場合には、各種撥水性合成樹脂製のフィルムやシート等の非通気性又は低通気性シートを用いる。非通気性又は低通気性シートの代表例としては、非通気性ポリマー・フィルム、例えばポリエチレン・フィルムが挙げられる。このようなポリマー・フィルムの厚さは、通常は１００μｍ以下、好ましくは２０乃至９０μｍ、更に好ましくは３０乃至７０μｍ、特に好ましくは４０乃至６０μｍである。
【００８９】
非通気性又は低通気性シートの原料であるポリマーの例としては、ポリエチレン、ポリプロピレン、ポリエステル、ポリアミド、ポリ塩化ビニル、ポリ塩化ビニリデン、ポリウレタン、ポリスチレン、エチレン−酢酸ビニル共重合体、ポリカーボネート等が挙げられる。
【００９０】
非通気性又は低通気性シートは、単層フィルムに限定されず、複層フィルムであってもよい。
【００９１】
被覆部の他方の面ｂを水不透過性とする場合、その他方の面ｂは、内側の非通気性又は低通気性シート層、好ましくは非通気性シート層と、外側の繊維層との二層構造とすることが好ましい。なお、繊維層については、一方の面ａに関して先に説明したものと同様である。
【００９２】
保水体を構成する袋体の一方の面Iは、透湿・透水性の材料で構成されている。透湿・透水性の材料の例としては、繊維材料が挙げられる。繊維材料の具体例は、被覆部の繊維層用の材料について、先に説明したものと同様である。保水体の袋体には、不織布を用いることが最も好ましい。不織布を用いる場合、その厚さは、通常は３０ｇ／ｍ２乃至１５０ｇ／ｍ２、好ましくは４０ｇ／ｍ２乃至１２０ｇ／ｍ２、さらに好ましくは５０ｇ／ｍ２乃至７０ｇ／ｍ２である。
【００９３】
保水体を構成する袋体の他方の面IIは、水透過性である場合と、水不透過性である場合とがある。水透過性である場合、その材料は、例えば織布、不織布、編物等である。水不透過性である場合には、各種撥水性合成樹脂フィルム等の非通気性又は低通気性シートを用いる。なお、非通気性又は低通気性シートについては、先に説明したとおりである。
【００９４】
保水体を構成する袋体の他方の面IIを水不透過性とする場合、他方の面IIは、非通気性又は低通気性シート層、好ましくは非通気性シート層と、繊維層との二層構造とすることが好ましい。なお、繊維層については、先に説明したとおりである。
【００９５】
第一の発明の冷却用構造物に用いる保水体では、他方の面IIを上記の二層構造とする場合、非通気性又は低通気性シート層と繊維層とは、何れが内側で何れが外側であってもよい。第二の発明の冷却用構造物に用いる保水体では、他方の面IIを構成する繊維層が吸水性ポリマーを具備するものである場合には、非通気性又は低通気性シート層が外側となるが、他方の面IIを構成する繊維層が吸水性ポリマーを具備しない場合には、非通気性又は低通気性シート層と繊維層とは、何れが内側で何れが外側であってもよい。
【００９６】
吸水性材料とは、吸水性及び／又は保水性を有する材料をいう。本発明では、シート状の吸水性材料、即ち、吸水性シートを用いることが好ましい。吸水性材料の具体例としては、紙、線状パルプ、パンチ綿、吸水性又は保水性不織布、織布、合成樹脂製多孔質シート等のシート状吸水性材料、発泡合成樹脂（ポリウレタン・フォーム、ビスコース・フォーム、ナイロン・フォーム、発泡フェノール樹脂、発泡尿素樹脂等）、海綿、脱脂綿、レーヨン綿、ヤシ殻繊維性又は木毛繊維性マット、毛布等が挙げられる。これらの中で、腐食・腐敗し難いこと、耐久性及び軽さの観点から、吸水性又は保水性不織布、例えばスパンニードル不織布が好ましい。
【００９７】
吸水性材料として不織布を用いる場合、その厚さは、通常は３０ｇ／ｍ２乃至１５０ｇ／ｍ２、好ましくは５０ｇ／ｍ２乃至１２０ｇ／ｍ２、さらに好ましくは８０ｇ／ｍ２乃至１００ｇ／ｍ２である。
【００９８】
吸水性又は保水性不織布は、例えば、吸水性繊維から、又は吸水性繊維と保水性繊維との混合物から製造される。吸水性繊維の例としては、架橋アクリル酸エステル系繊維、表面を加水分解したアクリル繊維、ポリエステルに（メタ）アクリル酸をグラフト重合した繊維、ポリエステル繊維等が挙げられる。保水性繊維とは、レーヨン等の親水性繊維のみならず、繊維内部の空隙に水を保持できる多孔質繊維をも包含する概念である。
【００９９】
吸水性シートが織布である場合、その原料は、木綿、レーヨン、ポリエステル、アクリル酸エステル等、吸水性又は保水性を示すものであれば何れでもよい。
【０１００】
本発明では、吸水性ポリマーを具備する吸水性シートを用いることが好ましい。本発明で用いる吸水性ポリマーを具備する吸水性シートにおいて、「吸水性ポリマーを具備」とは、（１）吸水性シートの表面に吸水性ポリマーが付着されていること、（２）吸水性シートの中に吸水性ポリマーが混在していること、（３）２枚の吸水性シートの間に吸水性ポリマーが挟持されて１枚のシートとなっていること等をいう。なお、（２）の場合、図１０に示すように、吸水性ポリマー１１の一部が吸水性シート１３の表面に付着されていてもよい。
【０１０１】
また、第二の発明においては、保水体用に、吸水性ポリマーを具備してなる袋体、好ましくは不織布製袋体を用いる。この場合は、吸水性ポリマーは、袋体の内側又は袋体自体の内部に存在することが必要であるから、吸水性ポリマーは、袋体を構成する材料、例えば不織布、の表面に付着されているか、袋体を構成する材料に練り込まれているか、又は、袋体の少なくとも一方の面が二枚の材料で構成されており、それら二枚の材料の間に挟み込まれている。
【０１０２】
吸水性ポリマーとして、例えば、ポリアクリル酸塩（例えば部分ナトリウム塩）、アクリル酸−ビニルアルコール共重合体、ポリアクリル酸ナトリウム架橋体、デンプン−アクリル酸グラフト共重合体、架橋されたデンプン−アクリル酸グラフト重合体の加水分解物、イソブチレン−無水マレイン酸共重合体及びそのケン化物、ポリアスパラギン酸、架橋されたポリアクリルアミド共重合体、架橋されたアクリル酸（塩）−アクリルアミド共重合体、架橋されたポリアクリル酸（塩）、架橋されたアクリル酸（塩）−アクリル酸エステル共重合体、架橋されたカルボン酸変性ポリビニルアルコール、架橋されたＮ−ビニル化合物、架橋されたポリスルホン酸（塩）、架橋されたポリアクリル酸（塩）−ポリスルホン酸（塩）共重合体、架橋された（メタ）アクリルアミド−Ｎ−アルキル（炭素数１〜５）スルホン酸（塩）、架橋された（メタ）アクリルアミド−Ｎ−アルキル（炭素数１〜５）スルホン酸（塩）−（メタ）アクリル酸（塩）共重合体、架橋されたスルホン化ポリエチレン、架橋されたポバール（商標）、架橋されたポリ（メタ）アクリルアミド、架橋されたポリエチレンオキシド、架橋されたポリビニルアルコール、架橋されたカルボキシメチルセルロース等が挙げられる。
【０１０３】
吸水性ポリマーとして、ＪＩＳ  Ｋ７２２４に準拠して測定した０．９％食塩水の吸収量が、自重の７０乃至１５０重量倍のものが好ましい。
【０１０４】
吸水性ポリマーを吸水性シート、例えば不織布に保持させる方法は特に制限されないが、例えば、２枚の吸水性シートの間に吸水性ポリマーを挟持させ、熱処理、接着剤の使用等により結合させる方法、接着剤を塗布した吸水性シートの上から吸水性ポリマーを散布し、接着させる方法、不織布の製造やパルプの抄紙時に吸水性ポリマーを共存させる方法等がある。
【０１０５】
吸水性ポリマーの量は特に制限されないが、通常は３０乃至２００ｇ／ｍ２、好ましくは５０乃至１５０ｇ／ｍ２、更に好ましくは７０乃至１００ｇ／ｍ２である。
【０１０６】
吸水性ポリマーを具備する吸水性シートの配置は特に限定されないが、複数の吸水性シートの層の中で、保水体の一方の面I（被覆部の通気性面ａと向き合う側）に最も近い最外層（最も上）や、最外層の次（上から２番目）に配置されることが好ましい。
【０１０７】
本発明の冷却用構造物に用いる保水体は、その保水体を構成する袋体の内部に、更に、例えばマイナスイオンを発生する物質を具備していてもよい。マイナスイオンを発生する物質は、例えば、保水体を構成する袋体の内側に付着されていてもよいし、吸水性材料表面に付着されていてもよいし、吸水性材料中に練りこまれていてもよいし、吸水性材料間に挟みこまれていてもよい。なお、マイナスイオンを発生する物質の例を挙げると、トルマリン、風化珊瑚、希土類元素の鉱物、琥珀、カーボンブラック、トロン、ゲルマニウム等である。
【０１０８】
次に、本発明の冷却用構造物の製造方法について、その一例を説明する。
被覆部は、次のようにして製造される。
【０１０９】
被覆部の一方の面ａ（通気性面）用の複合材料は、織布や不織布の一方の面に、公知の方法によって通気性ポリマー・フィルムを部分的に接着して製造する。また、他方の面ｂ（水不透過性面）用の複合材料は、織布や不織布の一方の面に、公知の方法によって非通気性ポリマー・フィルムを部分的又は全面的に接着して製造する。
【０１１０】
通気性面ａ用の複合材料と水不透過性面ｂ用の複合材料とを、通気性ポリマー・フィルムと非通気性ポリマー・フィルムとが向かい合うように配置し、周囲を縫製等し、袋体とする。この際、袋体には、ファスナー等の開閉手段を設ける。
【０１１１】
第一の発明で使用される保水体の中、図４、図５に示される保水体は、例えば次のようにして製造する。
【０１１２】
不織布上に、吸水性シート（図４：吸水性ポリマーを具備する吸水性シート１５のみ；図５：吸水性ポリマーを具備する吸水性シート１５と具備しない吸水性シート１７）を載置する。吸水性シートの上を不織布で覆い、四周を接着、融着又は縫製する。
【０１１３】
第一の発明で使用される保水体の中、図９に示される保水体は、例えば次のようにして製造する。
【０１１４】
不織布の一方の面に公知の方法によって非通気性ポリマー・フィルムを全面的に接着した複合材料を用意する。この複合材料の不織布９ｙ上に、吸水性シート（吸水性ポリマーを具備する吸水性シート１５と具備しない吸水性シート１７）を順次重ねる。前記複合材料の両側を内側に折り曲げて、その両側端部を、重ねられた吸水性シートの両側部上方に位置させる。吸水性シートの上方を不織布９ｘで覆い、この不織布９ｘを、前記複合材料の両側端部（９ｙ１の端部と９ｙ３の端部）に接着させる。
【０１１５】
第二の発明で使用される保水体の一例は、例えば次のようにして製造される。
【０１１６】
吸水性ポリマーが付着された不織布を用意する。その不織布を、吸水性ポリマーが袋体の内側に位置するように折り曲げ、三辺（他の一辺は、折り曲げ線に相当する）を接着又は融着することによって、袋体とする。なお、不織布の吸水性ポリマー付着面に吸水性シートを載せた状態で、不織布で袋体を製造してもよい。
【０１１７】
本発明の冷却用構造物の使用方法の一例は、次のとおりである。
【０１１８】
先ず、被覆部のファスナーを開ける。次いで、被覆部の面ｂ（水不透過性面）上に保水体を載置した状態で、保水体の上（透湿・透水性の材料で構成されている面Iの上方）から、保水体内部に向かって水を供給する。具体的には、保水体の袋体の上から、薬缶等を用いて保水体に水をかける。被覆部のファスナーを閉じる。
【０１１９】
保水体を構成する袋体の他方（下）の面IIが水不透過性である場合には、被覆部から保水体を取り出した上で、保水体に水を供給し、その後、保水体を被覆部内に装填してもよい。
【０１２０】
保水体に供給される水の量は、吸水性ポリマーやその他の吸水性材料が水を保持できる限り、特に限定されないが、通常は３００乃至１５，０００ｇ／ｍ２、好ましくは５００乃至１０，０００ｇ／ｍ２、更に好ましくは１，０００乃至７，０００ｇ／ｍ２、特に好ましくは２，０００乃至５，０００ｇ／ｍ２となる量である。
【０１２１】
保水体に供給される水には、防腐・防黴剤を添加することが好ましい。防腐・防黴剤の例としては、チアベンダゾール系、有機リン酸系、フェニルフェノール系及びイソチアゾール系の化合物や、塩化ベンザルコニウム、塩化ベンゼトニウム、アルキルジアミノエチルグリシン塩酸塩、グルコン酸クロルヘキシジン、次亜塩素酸ナトリウム等が知られている。これらの防腐・防黴剤は、通常は０．０００１乃至０．１％（重量／容量）程度、好ましくは０．０１乃至０．１％（重量／容量）程度の濃度で使用する。
【０１２２】
以下に、実施例により、本発明を具体的に説明する。
【実施例１】
【０１２３】
敷パッドの製造及び表面温度の測定
（１）敷パッドの製造
以下の材料で、図９に示す敷パッド５種を製造した。
【０１２４】
（ａ）各層を構成する材料
（被覆部の繊維層１，７）  ポリエステル（６５％）・綿（３５％）ブロード；
縦横とも４５番手の糸を使用；  糸密度は１００本×７０本
（被覆部の通気性シート層３）  多孔質ポリエチレン・フィルム；  厚さ：５０μｍ
（被覆部の非通気性シート層５）  ポリエチレン・フィルム；  厚さ：５０μｍ
（保水体の袋体の不織布９ｘ、蓋部）  ポリエステル製スパンボンド不織布；
厚さ：４０ｇ／ｍ２ 
（保水体の袋体の不織布９ｙ、底及び側部）  ポリプロピレン製スパンボンド不織布；
厚さ：４０ｇ／ｍ２
（保水体の袋体の非通気性シート層１９）  ポリエチレン・フィルム；  厚さ：４０μｍ
（吸水性シート１３，１７）  ポリエステル（５０％）・レーヨン（５０％）製スパン
ニードル不織布；  厚さ：１００ｇ／ｍ２
（吸水性ポリマー１１）  イソブチレン・無水マレイン酸共重合体のナトリウム塩を架橋
したもの（クラレ製）；  吸水量：自重の１００倍；
吸水性シートへの付着量：７０ｇ／ｍ２
【０１２５】
（ｂ）製造方法
（ｂ−１）被覆部１００
（ｉ）ポリエステル・綿ブロード１に、多孔質ポリエチレン・フィルム３を接着剤を用いて部分的に接着し、複合材料ａとした。接着面積は、リッシー法による透湿度が、約５００ｇ／ｍ２・２４時間、約７００ｇ／ｍ２・２４時間、約１，０００ｇ／ｍ２・２４時間、約１，２００ｇ／ｍ２・２４時間、約１，５００ｇ／ｍ２・２４時間となるように調節した。なお、製造後に、５種の複合材料ａの透湿度をリッシー法によって測定し、各々、約５００（測定値は４９２）ｇ／ｍ２・２４時間、約７００（測定値は７０８）ｇ／ｍ２・２４時間、約１，０００（測定値は１，０１５）ｇ／ｍ２・２４時間、約１，２００（測定値は１，２６３）ｇ／ｍ２・２４時間、約１，５００（測定値は１，５２８）ｇ／ｍ２・２４時間であることを確認した。
【０１２６】
（ｉｉ）ポリエステル・綿ブロード７に、ポリエチレン・フィルム５を接着剤を用いて全面的に接着し、複合材料ｂとした。
【０１２７】
（ｉｉｉ）複合材料ａと複合材料ｂを、多孔質ポリエチレン・フィルム３とポリエチレン・フィルム５とが向かい合うように配置し、周囲を縫製し、袋体とした。この際、四周の中の三辺にファスナーＦを縫い付け、袋体を開閉できるようにした。大きさは、２０ｃｍ×３０ｃｍであった。
【０１２８】
（ｂ−２）保水体７００
（ｉ）ポリプロピレン製スパンボンド不織布９ｙ（９ｙ１＋９ｙ２＋９ｙ３）の一方の面に、ポリエチレン・フィルム１９（１９ｙ１＋１９ｙ２＋１９ｙ３）を接着剤を用いて全面的に接着し、複合材料ｃとした。
【０１２９】
（ｉｉ）複合材料ｃの不織布９ｙの面上に、吸水性シート１５（吸水性ポリマー１１がスパンニードル不織布１３に付着されているもの）を載置し、その上に、スパンニードル不織布１７を重ねた。
【０１３０】
（ｉｉｉ）複合材料ｃの両側を内側に折り曲げて、その両側端部を、スパンニードル不織布１７の両側端部の上方に位置させた。
【０１３１】
（ｉｖ）スパンニードル不織布１７の上方をポリエステル製スパンボンド不織布９ｘで覆い、この不織布９ｘの両側端部を、複合材料ｃの両側端部（不織布９ｙ１，９ｙ３の面）に接着させた。先端側と後端側においては、不織布９ｘと複合材料ｃの不織布９ｙ１及び９ｙ３を、複合材料ｃの不織布９ｙ２と接着させた。
【０１３２】
（ｂ−３）測定用試料（敷パッド）の作製
保水体７００を、被覆部１００の面ｂの上に載置し、保水体７００の上部（不織布９ｘの上）から水を注いだ。水の量は、保水体１ｍ２あたり３．５ｋｇとなる量とした。ファスナーを閉じた。
【０１３３】
（２）表面温度の測定
試料を約３３℃の恒温室に放置し、その表面温度を経時的に測定した。結果を表１に示す。
【０１３４】
【表１】
2007289594.tif 000003
【０１３５】
表１から明らかなように、敷パッドの表面温度は、経時的に低下した。また、その低下の程度は、被覆部の透湿度が大であるほど大きかった。被覆部の透湿度が５００ｇ／ｍ２・２４時間未満の場合には、敷パッドの表面温度は殆ど低下しなかった。
【実施例２】
【０１３６】
敷パッドの製造及び官能試験
（１）敷パッドの製造
実施例１と同様の方法で、３種の敷パッドを製造した。但し、その大きさは１００ｃｍ×２００ｃｍとし、また、被覆部の通気性面用の複合材料ａとして、リッシー法による透湿度が約１，０００（測定値は１，０１５）ｇ／ｍ２・２４時間、約１，２００（測定値は１，２６３）ｇ／ｍ２・２４時間及び約１，５００（測定値は１，５２８）ｇ／ｍ２・２４時間のものを使用した。保水体に注入する水の量は、総量で７ｋｇ（保水体１ｍ２あたり３．５ｋｇ）とした。
【０１３７】
（２）官能試験
３０℃に設定された室内に布団を敷き、その上に敷パッドを敷き、綿細布製のシーツで覆った。
対照として、敷パッドを敷かない布団も用意した。
【０１３８】
表面温度計を用いて、シーツの表面温度を測定した。
シーツの上に被検者が横たわり、一定時間ごとに、首、肩、腰、尻、足及び胸に、冷感又は温感があるか否かを評価した。
結果を表２に示す。
【０１３９】
【表２】
2007289594.tif 000004
【０１４０】
表２から明らかなように、敷パッド無しでは、試験開始から５分後には首、腕及び腰の３個所に、１０分後には腕を除く５個所に、そして４０分後には評価個所すべてに温感が生じていた。一方、本発明の敷パッドを敷いた場合には、時間の経過とともに冷感が強くなっていった。
【０１４１】
以上のとおりであるから、本発明の敷パッドを用いれば、適度な冷感が得られ、気温が高い場合でも快適な睡眠をとることができる。
【図面の簡単な説明】
【０１４２】
【図１】本発明の冷却用構造物の被覆部（ひろげた状態）の一例を示す模式図である。
【図２】本発明の冷却用構造物の被覆部（閉じて袋状にした状態）の一例を示す模式的斜視図である。
【図３】本発明の冷却用構造物の被覆部の例を示す断面図である。
【図４】本発明の冷却用構造物の保水体の一例を示す断面図である。
【図５】本発明の冷却用構造物の保水体の他の例を示す断面図である。
【図６】本発明の冷却用構造物の保水体の更に他の例を示す断面図である。
【図７】本発明の冷却用構造物の保水体の更に他の例を示す断面図である。
【図８】本発明の冷却用構造物の保水体の更に他の例を示す断面図である。
【図９】本発明の冷却用構造物の一例を示す断面図である。
【図１０】本発明の冷却用構造物に用いられる吸水性ポリマーを具備する吸水性シートの一例を示す断面図である。
【符号の説明】
【０１４３】
ａ    被覆部の一方の面
ｂ    被覆部の他方の面
I     保水体を構成する袋体の一方の面
II    保水体を構成する袋体の他方の面
１，７    繊維層
３    通気性シート層
５，１９  非通気性シート層
９，３１，Ｐ，Ｑ    袋体
１１    吸水性ポリマー
１３，１７，２１，２３，２５  吸水性シート  
１５    吸水性ポリマーを具備する吸水性シート  
１００    被覆部
２００，３００，４００，５００，６００，７００    保水体
１０００    冷却用構造物
【図１】
2007289594.tif 000005
【図２】
2007289594.tif 000006
【図３】
2007289594.tif 000007
【図４】
2007289594.tif 000008
【図５】
2007289594.tif 000009
【図６】
2007289594.tif 000010
【図７】
2007289594.tif 000011
【図８】
2007289594.tif 000012
【図９】
2007289594.tif 000013
【図１０】
2007289594.tif 000014